(57)【要約】【課題】携帯用ティッシュ等の内容物を収納して宣伝用等で街頭等で配布される収納袋において、耐久性と高付加機能を有し内容物使用後に携帯用小物入れ等として継続して再使用させて長期間使用により宣伝広告効果が持続し、配布後にどの配付物を得た人々が宣伝広告機能に従って行動したかの情報を配布物供給者が取得できる高付加機能包装体を提供する。【解決手段】長方形の可撓性・防湿性シート両短辺側を一方面側で内側に向けて折り込んで長辺の重なりあう部分を溶着部２で溶着して両短辺が向かい合う開口となった袋状部３，４を形成し、同時に開口を有しない他方面側に袋状部から外側に突出し先端部に粘着部７を有する係止片６をシートに接着固定してあり、シートの中央部から両袋状部３，４を重ね合わせた状態で、係止片６に設けてある粘着部７を他方袋状部の外側に随時着脱自在とし、かつ、特定信号や記号を付加した高付加機能包装体。【選択図】      図１
2004331093.tif 000002
【特許請求の範囲】
【請求項１】
長方形の可撓性と防湿性を有するシート両短辺側を一方面側で内側に向けて折り込んで、長辺の重なりあう部分をヒートシール等で溶着することにより両短辺が向かい合う開口となった少なくとも２つ以上の袋状部を形成し、同時に開口を有しない他方面側に袋状部から外側に突出し先端部に粘着部を有する係止片を適宜手段でシートに接着固定してあり、シートの中央部から両袋状部を重ね合わせた状態で、係止片に設けてある粘着部を他方袋状部の外側に随時着脱自在とし、かつ、特定信号や記号を付加したことを特徴とする高付加機能包装体。
【請求項２】
長方形シートの一方面に印刷を施し、該印刷面を外側にして袋状部を形成したことを特徴とする請求項１に記載の高付加機能包装体。
【請求項３】
同包装体の表面を透明生地のままにしながら、両袋状部へ印刷済の台紙を同包装体の内部を覆うように挿入してあることを特徴とする請求項１に記載の高付加機能包装体。
【請求項４】
請求項１乃至３のいずれか項に記載の高付加機能包装体の包装体を形成するシートの表面若しくは内部、又は袋状部内に挿入された台紙に、非接触型ＩＣチップが適宜手段で挿入、添付、若しくは漉き込みされ、前記包装体を受給者に配付した後、所定場所で非接触式にＩＣチップの情報を取得する大量個別情報放散回収システム。
【請求項５】
請求項１乃至３のいずれかの項に記載の高付加機能包装体の包装体を形成するシートの表面、又は袋状部内に挿入され透明生地のシートを通じて表面を表した台紙に、２次元バーコード等の平面的に記載された情報を入力しておき、前記包装体を受給者に配付した後、所定場所で受給者に前記包装体を提示してもらうことで平面的に記載された情報を取得する大量個別情報放散回収システム。
【発明の詳細な説明】
【０００１】
【発明の属する技術分野】
この発明は、宣伝用使い捨てティッシュ等として街頭で配付される携帯用ティッシュ等の収納袋において、ティッシュ等の内容物を使い切った後でも携帯用小物入れ等として継続して再使用することを動機づけ、配付物受給者の身辺で持続的な携行をも可能とするように配慮され、配付の目的である宣伝広告効果が持続すると共に、高い付加機能を有する包装体と、それを用いて配付物を受けた人の流れや移動先の情報を取得することができるシステムに関するものである。
【０００２】
【従来の技術】
従来より、街頭や駅構内で、各種商品や製品、各種店舗、又は各種サービス等の宣伝広告を記載したチラシや紙片を通行人に配付することが行われていたが、宣伝広告機能を高めるために、配付物受給者にメリットを与えて長時間配付物を所有してもらったり宣伝と共に好印象を与えるため、宣伝を記載した包装体に、ティッシュ等の有用物を入れての配付が主流となってきている。
【０００３】
一般に、販売促進用に配付されている携帯用ティッシュペーパーは、特許文献１に示すような構造であり、折りたたまれた複数枚のティッシュペーパーが、透明な袋体に収納され、袋の一方面の中央に、ティッシュペーパーを取り出すためのスリット状開口部が設けられ、袋の他方面には、ティッシュペーパー群の最下部に収納された宣伝広告用の紙片が透明な袋を通じて外側から確認でき、この紙片に種々の宣伝広告用の意匠が施されている。（例えば、特許文献１）
【０００４】
一方、一枚の長方形状のプラスチックフィルムの両短辺側を互いに内面中央部に折り曲げ、該折り曲げ面の側端と本体面とを溶着して中央部の両短辺が出し入れ開口として構成された２つのポケット部を形成するとともに、前記ポケット部表面にはポケット部を中央部から内方へ折り曲げ重合可能なように接着部を形成した使い捨て小物袋があり、この小物袋の場合、ポケット部を２つ有し収納性に優れると共に、宣伝広告のスペースを大きく取ることができる。（引用文献２）
【０００５】
【特許文献１】
特開平９−３１３３９３号（図３、図４）
【特許文献２】
実用新案登録第３０７４１２４号公報（図１、図４）
【０００６】
【発明が解決しようとする課題】
ところで、上記した前者（特許文献１等）のポケットティッシュにおいては、宣伝広告用のスペースが袋体の他方面だけであり、宣伝広告のためのスペースが少なく、また、販売促進のために無料で配布されるものの性格上、材料に低コストなものを利用しており耐久性に劣り、使用後すぐに廃棄されることが多く、宣伝広告機能に劣ることになると供に環境汚染にもなっていた。
【０００７】
また、後者（特許文献２）のものは、宣伝広告用のスペースが外側の２面、内面の２面と合計４面を利用することができるが、内側で２つのポケットの間に設けられた接着剤のために、２つのポケット間に収納物がはみ出た場合、接着剤に接着してしまうので、ポケットからはみ出るようなものを収納することが出来ない。
【０００８】
このため、例えば配付時に販売促進用や懸賞用の葉書を同時に収納しようとする場合、ポケットから葉書がはみ出ないように収納しなければならず、葉書を折り畳んだ状態でどちらかのポケットに収納することになるが、折り畳んだ葉書は厚みを取るので、葉書を入れた側のポケットには他の小物が入れにくく、例えばティッシュ等の収納枚数が減少してしまう。
【０００９】
更に、販売促進や新規開店の宣伝広告のためにポケットティッシュ等を配付しても、どの程度の割合の人が、配付物を見て購買又は来店したかは不明であり、即ち、配付物の宣伝広告効果を検証できなかった。
【００１０】
そこで、この発明の課題は、上記のような課題を解決し、街頭で配付される宣伝広告用の携帯用ティッシュ等の収納袋において、耐久性と高い付加機能を持たせてティッシュを使い切った後でも携帯用小物入れ等として継続して再使用することを動機づけ、配付物受給者の身辺で持続的な携行をも可能とするように配慮され、配付の目的である収納できる物に制限が無く、長期間使用してもらうことで、宣伝広告効果が持続すると共に、配布物を配付した後、どの配付物を得た人々が宣伝広告機能に従って行動したかの情報を配布物供給者が取得できるようにし、配付物供給者、受給者共にメリットのある高付加機能包装体を提供することにある。
【００１１】
【課題を解決するための手段】
上記のような課題を解決するため、請求項１の発明は、長方形の可撓性と防湿性を有するシート両短辺側を１方面側で内側に向けて折り込んで、長辺の重なりあう部分をヒートシール等で溶着することにより両短辺が向かい合う開口となった少なくとも２つ以上の袋状部を形成し、同時に開口を有しない他方面側に袋状部から外側に突出し先端部に粘着部を有する係止片を適宜手段でシートに接着固定してあり、シートの中央部から両袋状部を重ね合わせた状態で、係止片に設けてある粘着部を他方袋状部の外側に随時着脱自在とし、かつ、特定信号や記号を付加した高付加機能包装体である。
【００１２】
ここで、可撓性と防湿性を有するシートの材料や厚みは、可撓性を損なわない範囲で特に限定されるものではないが、膜厚２０〜８０μｍのＯＰＰ、ＢＯＰＰを含むポリオレフィンに防湿加工を施したものが、可撓性と耐水性及び耐久性に優れ、街頭での配付後、内容物のティッシュ等を使い切った後でも、ティッシュ等を収納していた２つの袋状部を種々の小物入れとして利用することにより長期間所有してもらうことができ、宣伝広告効果が持続すると供に、強度のあるポリオレフィン樹脂フイルムを使用しているがゆえに、従来のティッシュペーパ以外のもの（ティッシュ、あぶら取り紙、タバコ、懐炉、ペーパータオル、ウエットティッシュ等）も新たに収容が可能となる。
【００１３】
また、シート材料にポリオレフィン系の合成樹脂を使用したものは、廃棄後の燃焼処理によっても、ダイオキシン等の毒素を発生せず、環境を害しないので、配布規模の拡大により、えてして廃棄されることも多いこれら樹脂フイルムがもたらす環境負荷が最小にとどまるように配慮がされている。
【００１４】
更に、上記の耐久性に加え、２つの袋状部の表裏２面、合計４面に宣伝広告を入れることが出来るので、宣伝広告機能が更に高まると共に、袋状部を重ねた状態で外側に設けた係止片の粘着部で、２つの袋状部を折り畳むので、２つの袋状部の重なり面には粘着剤等が介在せず、袋状部に入りきれない紙片（例えば葉書）等は、袋状部からはみ出した状態で収納しても、はみ出た部分に粘着剤等が接着することがない。
【００１５】
そのため、葉書、カレンダー、アンケート、メモ等の折り曲げ可能であって袋状部より大きなシート状物の折り曲げた一部、又は鏡や袋体等の袋状部と略同程度の大きさの平面的物品に折り曲げ可能に取付けた取付片を、袋状部に挿入して固定することができる。
【００１６】
即ち、２つの袋状部の重なり面には粘度剤等が介在しないことを利用し、袋状部に入りきらない葉書、カレンダー、アンケート、メモ等のシート状物を折り曲げ、その一部を袋状部に挿入した状態で包装体を畳めば、葉書等は別途分離可能な状態を維持しつつ包装体内に固定されるのである。
【００１７】
また、鏡や袋体等の袋状部と略同程度の大きさの平面的物品についても、取付片を取付けて、この取付片を袋状部に挿入した状態で包装体を畳めば、これらの付加機能を有する物品を別途分離可能な状態を維持しつつ、包装体内に固定することができる。
【００１８】
なお、付与された特定信号や記号とは、該包装体の表面に記載された宣伝内容、特典内容、調査内容又は配布時の内容物、或いは配布場所・時間等により識別されたグループ又は各包装体個々に固有のＩＤを示す記号のことをいい、あえて遠隔地における該記号情報の回収を目論見して事前に付与されるものであり、回収後該記号により包装体の配布後の人の動き等を解析するためのものである。
【００１９】
記号とは数字、文字、或いは色彩などの人間の視覚により識別・区別できて確認できるもののみならず、バーコードや２次元バーコード等の機械的解析により認識できるものも含まれ、特定信号とは、人間の触覚、聴覚等の感覚により認識できる信号の他、電気的導通や電波により非接触に情報をやり取り可能なＩＣ等により特定信号の発信と受信により認識可能なものも含まれる。
【００２０】
次に、請求項２の発明は、上記請求項１の発明において、長方形シートの一方面に印刷を施し、該印刷面を外側にして袋状部を形成した構成を採用したものである。
【００２１】
この発明によれば、シートに直接印刷を施してあるので、低コストで包装体の意匠性を向上させることができる。
【００２２】
次に、請求項３の発明は、上記請求項１の発明において、同包装体の表面を透明生地のままにしながら、両袋状部へ印刷済の台紙を同包装体の内部を覆うように挿入してある構成を採用したものである。
【００２３】
この発明によれば、袋状部に挿入する台紙によって包装体にしっかり感や強度が得られ、長期間所有してもらいやすくなると共に、台紙に種々の高次機能に加えてさらに、不特定多数者へ向けた個別情報の収集制御目論見された配布物の放散回収システムへ向けた基礎資材として機能づけが加味されて一層の物品価値を高めることができる。
【００２４】
次に、請求項４の発明は、上記請求項１乃至３の発明の高付加機能包装体を用い、包装体を形成するシートの表面若しくは内部、又は袋状部内に挿入された台紙に、非接触型ＩＣチップが適宜手段で挿入、添付、若しくは漉き込みされ、前記包装体を受給者に配付した後、所定場所で非接触式にＩＣチップの情報を取得する大量個別情報放散回収システムである。
【００２５】
ここで非接触片ＩＣチップとは、直接電気的な接触を持たずに情報を提供（又はやり取り）可能な電子素子をいい、特に磁界、電波や電磁波等、間に障害物があっても情報の認識ができるものを利用したものである。
【００２６】
また、これらの非接触型ＩＣチップは、近年の技術革新により、一辺が数十μｍ〜数ｍｍのものも得られてきており、包装体を形成するシートの表面や内部、又は袋状部内に挿入された手紙に邪魔にならないよう挿入、添付、漉き込みが可能となっている。
【００２７】
超小型のＩＣチップは、今は読み出し専用メモリー（ＲＯＭ）が主流であるが、各ＩＣに独自のＩＤを記録しておくことにより、例えば、宣伝用ティッシュ等を配付した場所・時間とチップのＩＤの関係をデータベースに記録しておき、宣伝広告に記載された店（販売店や飲食店）を訪問した人が所持している包装体のＩＣチップのＩＤを、店の入口のゲート等で読み取れば、店側にとって、宣伝用ティッシュ等の配付場所や時間による来客効果、即ち配付物による宣伝広告の効果をモニターすることができる。
【００２８】
また、不特定多数者へ向けて配布される当該高付加機能包装体に、クーポン券や割引券の機能を持たせておけば、店内で顧客はクーポン券としての包装体を提示することなしに、ＩＣチップのＩＤを非接触で読み取ることにより、各種サービスを得ることができる。
【００２９】
この請求項４のシステムを用いた配布物供給者側から見た利点は、該高付加機能包装体等を無差別に配布された人員の選別や指向的な集合誘導を実現できる点にある。即ち、配布場所やその時間などの記録は所与のものとして入力しておくことが可能なために、きわめて効率のよい配布拠点の確認や受給者への強い意識づけを期待できるものとなる。これが、のちに各種指向的な場所店舗等でスキャンした際、あらかじめ設定されている所望の誘導先へ到着したる達成者に対して、告知、非告知たるとをとわず事前に準備された報酬系（具体的にはノベルテイ物品との交換、ポイント等との換価、及びクーポンや割引サービス）との融合を演出することができ、強い吸引効果を与えられるのである。これらは請求項１の高付加機能包装体を用いることによる成果である。
【００３０】
次に、請求項５の発明は、上記請求項１乃至３の発明の高付加機能包装体を用い、包装体を形成するシートの表面、又は袋状部内に挿入され透明生地のシートを通じて表面を表した台紙に、２次元バーコード等の平面的に記載された情報を入力しておき、前記包装体を受給者に配付した後、所定場所で受給者に前記包装体を提示してもらうことで平面的に記載された情報を取得する大量個別情報放散回収システムである。
【００３１】
ここで２次元バーコード等の平面的に記載された情報とは、ある所定の規則により平面的に表された認識用の情報であり、現在バーコードや２次元バーコードがこれに該当するが、同機能を有する別の規則に従って平面的に表された情報も含まれる。
【００３２】
これら平面的に記載された情報は、包装体外面から確認できるように、包装体を形成するシートの表面、又は袋状部内に挿入され透明生地のシートを通じて表面を表した台紙に表されており、これらは例えばスキャナ等により読み込んだ上でコンピュータ上で認識されて情報化される。
【００３３】
これらの情報は、上記請求項４の発明と同様、不特定多数者へ向けて配布される当該高付加機能包装体の配付場所や時間の情報をインプットしておけば、その後に各種店舗等でスキャンした際、宣伝広告の効果のモニターやクーポンや割引機能を与えることができ、また、集合誘導の達成者に対して準備された前述のノベルテイ物品との交換、ポイント等との換価、及びクーポンや割引サービスという高い報酬系との融合を演出することができ、強い吸引効果与えられるのである。
【００３４】
なお、請求項５の発明における、平面的に記載された情報は、請求項４における非接触型ＩＣを利用するものに比べ、配付物受給者が包装体をスキャンさせるために提示する手間がかかるが、スキャン装置は一般的に、非接触型ＩＣの読み取りゲートの重設備的であることに比べて、現状やや低コスト、小型であり、配置や普及の利点がある。
【００３５】
【発明の実施の形態】
この発明の実施の形態を添付図面に基づいて説明する。
【００３６】
図１（Ａ）（Ｂ）は、この発明の高付加機能包装体１の一例をしめすものであり、一枚の可撓性を有するポリオレフィン等の長方形シートを図示のように折り込んで溶着部２で溶着することにより、２つの袋状部３，４を形成し、内部に配付の際に配付物受給者に有用なティッシュ５等を収納している。
【００３７】
なお、包装体外面に接着固定された係止片６の先には粘着部７が設けられており、両袋状部３，４を重ね合わせた状態で粘着部７の粘着作用により随時着脱自在となるので、図１（Ａ）の開放状態と図１（Ｂ）の封鎖状態とが簡単に変更できる。
【００３８】
また、高付加機能包装体１の表面を透明生地のままにしながら、種々の宣伝広告又は美観意匠を印刷済の台紙８を内部のティッシュ５等を覆うように両袋状部３，４へ挿入することで、包装体にしっかり感や強度を与えて、配布物受給者に長期間所有してもらいやすくなると共に、この台紙８に種々の高次機能に加えることができるようになる。
【００３９】
以上のように、この発明の高付加機能包装体１は、長時間使用してもらうことができるだけの強度や美装に配慮を行うことで、これまでの配付宣伝品などのような社名告知程度の域にとどまらぬ高度な宣伝広告の手法を投入できる。
【００４０】
なお、この発明における高付加機能包装体１の態様は、図１のものに限定されるものではなく、請求項の記載の範囲及び発明の目的の範囲内で適宜変更された態様の物であっても良い。
【００４１】
図２は、台紙８に非接触型ＩＣチップ９が適宜手段で挿入、添付、若しくは漉き込みされた高付加機能包装体１を用いた大量個別情報放散回収システムの一例を示すものである。
【００４２】
図２において、予め高付加機能包装体１に内蔵されたＩＣチップ９には、各ＩＣチップ９が固有に、又は配布場所等の一定の規則に沿ったグループが固有に有する番号・符号（以下ＩＤという）が記録されており、高付加機能包装体１を配付する場所・時間と各ＩＣチップ９のＩＤの関係を予めデータベースとしてサーバ等に記録しておく。
【００４３】
街頭等で該高付加機能包装体１は通行人に無差別に配布され、配布を受けた通行人（配布物受給者１０）の各自は、その後配布場所から自由に行動し全体として放散してしまう。しかし、その後包装体１を所有する配布物受給者１０が、その包装体１の表面に表されたり、包装体１の内部に収納された用紙に表された宣伝広告やその特典（クーポン券や割引券の機能等）により誘導されるべき店舗、会場等の所定場所に来訪した際、設置済の非接触ＩＣチップのＩＤ情報を読み取り可能な（電波式、磁気式等を用いた）ゲート１１を用意し、該配布物受給者１０が通過した際、配布物受給者１０が有するＩＣチップ９のＩＤを読み取る。
【００４４】
ゲート１１で認識されたＩＤ情報は適宜手段で瞬時にサーバ１２へ送られ、データベースとの照合により高付加機能包装体１の配布場所や時間が瞬時に確認でき、きわめて効率のよい配布拠点の確認や受給者への誘導効果又は宣伝広告効果の確認が可能となる。なお、大がかりなゲート１１によらずとも小型のリーダー装置を各通過者にかざしてＩＤ情報を読み取ることもできる。
【００４５】
また、ゲート１１を通過するだけで、集合誘導を達成した配布物受給者１０に対して準備された高い報酬系、例えばノベルテイ物品との交換、ポイント等との換価、及びクーポンや割引サービスを包装体１の提示無しに瞬時に提供可能となり、更に強い吸引効果を与えられる。
【００４６】
その後、配布物の配布供給者は集められた情報の解析により、配布後の人の動きや宣伝の効果等を得、この情報を元に配布場所や時間の選定、各種ノベルティの検討等のフィードバックを行うことができる。
【００４７】
次に、図３は、図２で示した非接触型ＩＣチップ９に替えて、台紙８や包装体１の表面に、各包装体１固有又は一定の規則に沿ったグループ固有のＩＤ情報を内包する２次元バーコード１３が記載された高付加機能包装体１を用いた大量個別情報放散回収システムを示すものである。
【００４８】
図３の場合、図２における非接触型ＩＣを利用するものに比べ、配付物受給者１０が包装体１の表面に表された２次元バーコード１３をスキャン装置１４にてスキャンさせるために、提示する手間がかかるが、スキャン装置１４は一般的に、非接触型ＩＣの読み取りゲートの重設備的であることに比べて、現状やや低コスト、小型であり、配置や普及の利点がある。その他、サーバ１２による情報認識等の発明の利点は図２のシステムと同様であるので説明を省略する。
【００４９】
また、図２や図３示のように、配布物に非接触式ＩＣチップ９や２次元バーコードを挿入するために、配付活動の目的と場面がこの包装体の登場で大きく変化することになる。
【００５０】
即ち、ＩＣチップや２次元バーコード等は、暗号を挿入することができるために、無差別配付されているものが配付対象となる匿名の大衆を任意のグループに弁別することも可能となる。
【００５１】
例えば、大規模展示会場や劇場などにおいて来訪する参加者群衆を赤と青の黄の配付品をおこない、特定の赤グループのみすべてのゲートに入場できるようにし、青のグループは特定のゲートでの入場を排除する。黄色のグループはすべてのゲートの入場ができないようにする、などの匿名大衆を会場誘導することなども当該発明のもたらす大きな利便である。
【００５２】
また、配付物はこの発明の包装体の配付物供給者に対して、配付の日時、場所、配付動機などを配付先のそれぞれの匿名大衆にマークづけがなされているために、後日相当時間の経過後にもその匿名大衆の再訪時に、瞬時にその配付行為や告知反応の成果であることを、無応酬で告知することが可能となる。
【００５３】
もちろん、この発明の大量個別情報放散回収システムは、上記挙げた例に限定されるものではなく、無作為に配布される高付加機能包装体に記録されたＩＤを所定場所で認識できることを利用して、種々の調査、新たなサービスの提供に繋げられることは言うまでもない。
【００５４】
【発明の効果】
以上のように、この発明の高付加機能包装体は、その材質が可撓性と防湿性を有するので耐久性があり、街頭での配付後、内容物を使い切った後でも、２つの袋状部を種々の小物入れとして利用することにより長期間所有してもらうことができ、宣伝広告効果が持続すると供に、廃棄後の燃焼処理によっても、ダイオキシン等の毒素を発生せず、環境を害しないので、環境負荷が最小にとどまる。
【００５５】
また、２つの袋状部の表裏２面、合計４面に宣伝広告を入れることが出来るので、宣伝広告機能が更に高まると共に、２つの袋状部の重なり面には粘着剤等が介在せず、袋状部に入りきれない葉書、カレンダー、アンケート、メモ等を袋状部からはみ出した状態で別途分離可能な状態を維持しつつ収納したり、鏡や袋体等の袋状部と略同程度の大きさの平面的物品についても、取付けた取付片を袋状部に挿入した状態で包装体を畳めば、これらの付加機能を有する物品を別途分離可能な状態を維持しつつ、包装体内に固定することができる。
【００５６】
次に、この発明の大量個別情報放散回収システムによれば、各非接触式ＩＣや平面的に記載された認識情報に独自のＩＤを記録しておくことにより、例えば、包装体を配付した場所・時間とＩＤの関係をデータベースに記録しておき、宣伝広告に記載された店（販売店や飲食店）を訪問した人が所持している包装体のＩＤを、店の入口のゲート等で非接触式に読み取るか、或いは平面的に記録された認識情報を配布物受給者に提示を求めてスキャンして読み取れば、店側にとって、宣伝用ティッシュ等の配付場所や時間による来客効果、即ち配付物による宣伝広告の効果をモニターすることができる。
【００５７】
また、不特定多数者へ向けて配布される当該高付加機能包装体に、クーポン券や割引券の機能を持たせておけば、ＩＤによって認識できるので、確実にサービスを与えることができ、各配布物受給者に更に強い吸引効果を与えられる。
【図面の簡単な説明】
【図１】（Ａ）、（Ｂ）はこの発明の高付加機能包装体を示す斜視図である。
【図２】この発明の大量個別情報放散回収システムの一例を示す図である。
【図３】この発明の大量個別情報放散回収システムの他の例を示す図である。
【符号の説明】
１      高付加機能包装体
２      溶着部
３，４  袋状部
５      ティッシュ（他）
６      係止片
７      粘着部
８      台紙
９      ＩＣチップ
１０    配布物受給者
１１    ゲート
１２    サーバ
１３    ２次元バーコード
１４    スキャン装置
【図１】
2004331093.tif 000003
【図２】
2004331093.tif 000004
【図３】
2004331093.tif 000005